(57)【特許請求の範囲】
【請求項１】
幅広レール部材が埋め込まれるように取付可能な凹溝が設けられた上枠材に取り付けられるレール装置であって、
前記凹溝の溝幅方向に沿う方向の寸法が前記幅広レール部材よりも小とされた幅狭レール部材と、この幅狭レール部材と前記凹溝の内側面との間を塞ぐように配されるスペーサーと、を備えており、
前記スペーサーは、前記凹溝の内側面の少なくとも開口側部位に沿うように配され、かつ上端が該凹溝の溝底面に当接される固定片部と、該固定片部の下端から溝幅方向に沿う方向に突出するように設けられ、前記幅狭レール部材の下端部に当接するように配される塞ぎ片部と、を備えていることを特徴とするレール装置。
【請求項２】
請求項１において、
前記スペーサーの固定片部の上端部には、前記凹溝の入隅部に向けて止具が斜め状に止着されるように止具の止着方向のガイドとなる止具ガイド部が設けられていることを特徴とするレール装置。
【請求項３】
請求項１または２において、
前記スペーサーの固定片部の前記凹溝の内側面側に向く面には、表面側に剥離可能な剥離材が設けられた粘着材が設けられていることを特徴とするレール装置。
【請求項４】
請求項１乃至３のいずれか１項において、
前記スペーサーは、前記幅狭レール部材の溝幅方向に沿う方向両側のそれぞれに対状に配されることを特徴とするレール装置。
【請求項５】
請求項１乃至４のいずれか１項において、
前記スペーサーは、前記凹溝の溝深さ方向に沿う方向の寸法が該凹溝の溝深さ寸法よりも大とされていることを特徴とするレール装置。
【発明の詳細な説明】
【技術分野】
【０００１】
本発明は、戸体の上端側をガイドするレール装置に関する。
【背景技術】
【０００２】
従来より、上枠材に設けられた凹溝に埋め込まれるように取り付けられ、戸体の上端部に設けられたランナーの転動部等の係合部をスライド自在に収容してガイドするガイド溝が設けられたレール部材が知られている。
例えば、下記特許文献１には、戸厚方向に沿う寸法が戸厚寸法と同程度とされた比較的に大きい吊戸ランナーの転動部を収容可能なように、ガイド溝の溝幅寸法が幅広とされた上レールを、上枠材の凹溝部に嵌め込んだ構成の開示がある。
また、下記特許文献２には、戸厚方向に沿う寸法が戸厚寸法よりも小とされた比較的に小さい走行体のローラーが設けられた部位を収容可能なように、ガイド溝の溝幅寸法が幅狭とされた上レールの開示がある。
【先行技術文献】
【特許文献】
【０００３】
【特許文献１】特開２０１３−１０８２９３号公報
【特許文献２】特開２００６−７７５７３号公報
【発明の概要】
【発明が解決しようとする課題】
【０００４】
上記のように、戸体の上端部には、種々のランナー（走行体）等の係合部が設けられ、これに応じたガイド溝を設けた幅寸法の上レールが必要になる。そのため、このような幅寸法の異なる上レールに応じた凹溝を設けた複数種の上枠材が必要になるという問題があった。また、例えば、模様替えのためや故障等によって、幅広な上レールに代えて、幅狭な上レールを取り付けたい場合が生じることが考えられる。このような場合に、既設の上枠材を撤去し、新たな上レールに応じた凹溝を設けた上枠材を設置することも考えられるが、大掛かりな作業となる。また、既設の上枠材に対して新たな上レールを取り付けることも考えられるが、既設の上枠材の凹溝の内側面との間に隙間が形成されたりすることが考えられる。
【０００５】
本発明は、上記実情に鑑みてなされたものであり、幅広なレール部材に応じた幅広な凹溝が設けられた上枠材に幅狭のレール部材を見栄え良くかつ簡易に取り付け得るレール装置を提供することを目的としている。
【課題を解決するための手段】
【０００６】
上記目的を達成するために、本発明に係るレール装置は、幅広レール部材が埋め込まれるように取付可能な凹溝が設けられた上枠材に取り付けられるレール装置であって、前記凹溝の溝幅方向に沿う方向の寸法が前記幅広レール部材よりも小とされた幅狭レール部材と、この幅狭レール部材と前記凹溝の内側面との間を塞ぐように配されるスペーサーと、を備えており、前記スペーサーは、前記凹溝の内側面の少なくとも開口側部位に沿うように配され、かつ上端が該凹溝の溝底面に当接される固定片部と、該固定片部の下端から溝幅方向に沿う方向に突出するように設けられ、前記幅狭レール部材の下端部に当接するように配される塞ぎ片部と、を備えていることを特徴とする。
【発明の効果】
【０００７】
本発明に係るレール装置は、上述のような構成としたことで、幅広なレール部材に応じた幅広な凹溝が設けられた上枠材に幅狭のレール部材を見栄え良くかつ簡易に取り付けることができる。
【図面の簡単な説明】
【０００８】
【図１】（ａ）、（ｂ）は、本発明の一実施形態に係るレール装置の一例及びレール装置の取付構造の一例を模式的に示し、（ａ）は、（ｂ）におけるＸ−Ｘ線矢視に対応させた一部破断概略縦断面図、（ｂ）は、（ａ）におけるＹ−Ｙ線矢視に対応させた一部破断概略横断面図である。
【図２】（ａ）は、図１（ａ）に対応させた一部破断概略分解縦断面図、（ｂ）は、同レール装置が備えるスペーサーの一例を模式的に示す一部破断概略側面図である。
【図３】幅広レール部材の一例が取り付けられた状態を模式的に示す図１（ａ）に対応させた一部破断概略縦断面図である。
【発明を実施するための形態】
【０００９】
以下に本発明の実施の形態について、図面に基づいて説明する。
なお、以下の実施形態では、本実施形態に係るレール装置を施工した状態を基準として上下方向等の方向を説明する。
【００１０】
図１及び図２（ａ）は、本実施形態に係るレール装置の一例を模式的に示す図である。
本実施形態に係るレール装置１は、幅広レール部材６（図３も参照）が埋め込まれるように取付可能な凹溝３が設けられた上枠材２に取り付けられる構成とされている。また、レール装置１は、凹溝３の溝幅方向に沿う方向の寸法（幅寸法）Ｗ２が幅広レール部材６の溝幅方向に沿う方向の寸法（幅寸法）Ｗ１よりも小とされた幅狭レール部材１０を備えている。つまり、このレール装置１は、幅狭レール部材１０の幅寸法Ｗ２よりも大とされた幅広レール部材６に応じた溝幅寸法Ｗ１とされた幅広な凹溝３が設けられた上枠材２に対して取り付けられる。
【００１１】
このレール装置１は、既設の幅広レール部材６が取り外された既設の上枠材２の凹溝３に埋め込まれるように取り付けられるものとしてもよい。また、このレール装置１を、既設の幅広レール部材６がガイドする既設戸体５（図３参照）に替えて、図１に示すように、新たな戸体７を設置する際に、既設の幅広レール部材６に替えて、上枠材２に取り付けられ、新たな戸体７をガイドする構成としてもよい。つまり、このレール装置１を、例えば、既設戸体５やその係合部５ａに故障が生じた際や模様替え等のために既設戸体５を新たな戸体７に取り替える必要が生じた際に、既設の幅広レール部材６を上枠材２から撤去して上枠材２に取り付けられるものとしてもよい。
本実施形態では、これら幅広レール部材６及び幅狭レール部材１０を、一本のガイド溝６ａ，１１が設けられた単レールとし、これらにガイドされる既設戸体５及び新たな戸体７を、折戸としている（図１（ｂ）参照）。
【００１２】
上枠材２は、住居等の建物の壁体を貫通するように設けられる出入口の上側を区画し、戸枠を構成する。本実施形態では、この上枠材２の長手方向両端部に、出入口の間口方向両側を区画し、戸枠を構成する両側の縦枠材４，４を連結するように設けた例を示している。なお、これら上枠材２及び縦枠材４，４は、適宜の枠下地に固定される。また、出入口の下側を区画する下枠を更に設けてもよく、または、出入口の下側を床面によって区画する態様としてもよい。
また、図例では、この上枠材２を、全長に亘って一様な幅寸法（壁厚方向に沿う寸法）とし、両側の縦枠材４，４を左右対称状とした例を示しているが、このような態様に限られない。例えば、既設戸体５及び新たな戸体７を、引戸とした場合には、袖壁や戸袋を区画する戸袋壁等に応じて上枠材２の長手方向略半部の幅寸法を異ならせたり、縦枠材４，４の互いの幅寸法を異ならせたり、さらには、中方立等を更に備えた構成としたりしてもよい。既設戸体５及び新たな戸体７が建て付けられる戸枠を構成する上枠材２及び縦枠材４，４の態様としては、その他、種々の変形が可能である。
【００１３】
また、上枠材２の凹溝３は、図１（ｂ）及び図２（ａ）に示すように、上枠材２の長手方向に沿って延びるように、かつ下向きに開口するように設けられている。この凹溝３は、上枠材２の全長に亘って設けられたものとしてもよい。
また、凹溝３は、下方側に向く溝底面３ａと壁厚方向に沿う方向に向きかつ互いに対向するように設けられた両側の内側面３ｂ，３ｂとによって区画されており、長手方向に見て、矩形溝状とされている。
この凹溝３の溝幅寸法（壁厚方向に沿う寸法）Ｗ１及び溝深さ寸法（上下寸法）Ｄ１は、幅広レール部材６の受け入れが可能なように適宜の寸法とされている。
【００１４】
既設戸体５は、図３に示すように、既設の幅広レール部材６に設けられたガイド溝６ａにスライド自在に係合してガイドされる係合部としての既設ランナー５ａを上端側に設けた構成とされている。
既設ランナー５ａは、戸厚方向（壁厚方向に沿う方向）に沿う軸廻りに回転する転動体５ｂ，５ｂを戸厚方向に間隔を空けて設けた構成とされている。この既設ランナー５ａは、戸厚方向に沿う寸法（戸厚方向一方の転動体５ｂの戸厚方向外側面から戸厚方向他方の転動体５ｂの戸厚方向外側面までの戸厚方向に沿う寸法）が既設戸体５の戸厚寸法よりも大とされている。
また、既設戸体５は、この既設ランナー５ａの転動体５ｂ，５ｂが幅広レール部材６に案内支持されて幅広レール部材６に対して吊下支持される構成とされている。
【００１５】
幅広レール部材６は、既設ランナー５ａをガイドするガイド溝６ａを下向きに開口するように設けた構成とされている。この幅広レール部材６は、ガイド溝６ａを、長手方向両端側が開口するように全長に亘って設けた構成とされ、全長に亘って一様な断面形状とされている。また、この幅広レール部材６の長さ寸法は、上枠材２の長さ寸法と概ね同長さとされている。
この幅広レール部材６は、ガイド溝６ａの底側を区画する底壁部６ｂとガイド溝６ａの溝幅方向両側を区画する両側壁部６ｃ，６ｃとを備えている。また、幅広レール部材６は、これら両側壁部６ｃ，６ｃの下端部から互いに向き合う方向に突出し、既設ランナー５ａの転動体５ｂ，５ｂを案内支持する案内片部６ｄ，６ｄを備えている。また、幅広レール部材６の両側壁部６ｃ，６ｃの下端部には、溝幅方向（戸厚方向に沿う方向）外方側に突出する突出片部が設けられている。
【００１６】
この幅広レール部材６のガイド溝６ａの溝幅寸法となる一方の側壁部６ｃの内面から他方の側壁部６ｃの内面までの溝幅方向に沿う寸法は、既設ランナー５ａの上記戸厚方向に沿う寸法に応じた寸法とされている。また、この幅広レール部材６のガイド溝６ａの深さ寸法となる底壁部６ｂから案内片部６ｄ，６ｄまでの上下方向に沿う寸法は、既設ランナー５ａの転動体５ｂ，５ｂの外径に応じた寸法とされている。
また、上記した上枠材２の凹溝３の溝幅寸法Ｗ１は、この幅広レール部材６の一方の側壁部６ｃの外側面から他方の側壁部６ｃの外側面までの溝幅方向に沿う寸法Ｗ１と略同寸法とされている。
また、上記した上枠材２の凹溝３の溝深さ寸法Ｄ１は、この幅広レール部材６の底壁部６ｂの上面から突出片部の上面までの上下方向に沿う寸法に応じた寸法とされている。
上記構成とされた幅広レール部材６は、ねじ等によって上枠材２に取り付けられており、このねじ等を取り外せば、上枠材２から取外し可能とされている。
【００１７】
本実施形態に係るレール装置１が備える幅狭レール部材１０にガイドされる新たな戸体７は、既設戸体５と戸厚寸法が概ね同寸法とされている。なお、これら既設戸体５及び新たな戸体７の戸厚寸法は、２０ｍｍ〜４０ｍｍ程度でもよく、互いに異なる寸法でもよい。
また、この戸体７は、図１（ａ）に示すように、幅狭レール部材１０に設けられたガイド溝１１にスライド自在に係合してガイドされる係合部としてのランナー８を上端側に設けた構成とされている。
【００１８】
ランナー８は、戸厚方向に沿う軸廻りに回転する転動体８ａ，８ａを戸厚方向に間隔を空けて設けた構成とされている。このランナー８は、戸厚方向に沿う寸法（戸厚方向一方の転動体８ａの戸厚方向外側面から戸厚方向他方の転動体８ａの戸厚方向外側面までの戸厚方向に沿う寸法）が戸体７の戸厚寸法よりも小とされている。つまり、このランナー８の戸厚方向に沿う寸法は、上記した既設ランナー５ａの戸厚方向に沿う寸法よりも小とされている。
また、このランナー８の転動体８ａ，８ａ間の戸厚方向に沿う寸法は、既設ランナー５ａの転動体５ｂ，５ｂ間の戸厚方向に沿う寸法よりも小とされている。
また、このランナー８の転動体８ａ，８ａの軸方向に沿う寸法は、既設ランナー５ａの転動体５ｂ，５ｂの軸方向に沿う寸法よりも小とされている。
【００１９】
本実施形態に係るレール装置１が備える幅狭レール部材１０は、図１及び図２（ａ）に示すように、上記した幅広レール部材６のガイド溝６ａの溝幅寸法よりも溝幅寸法が小とされた下向きに開口するガイド溝１１を設けた構成とされている。
この幅狭レール部材１０は、このガイド溝１１を、長手方向両端側が開口するように全長に亘って設けた構成とされ、全長に亘って一様な断面形状とされている。また、本実施形態では、この幅狭レール部材１０を、長手方向に見て、溝幅方向中心線を対称軸とする線対称状としている。また、この幅狭レール部材１０の長さ寸法は、上枠材２の長さ寸法と概ね同長さとされている。
【００２０】
また、幅狭レール部材１０は、ガイド溝１１の底側を区画する底壁部１２とガイド溝１１の溝幅方向両側を区画する両側壁部１３，１３とを備えている。
本実施形態では、底壁部１２の溝幅方向中央部に、当該幅狭レール部材１０を上枠材２に固定するねじ等の止具９の止着箇所１２ａを設けている。本実施形態では、この止着箇所１２ａを、止具９の誘い（目印）となるＶ溝状の細溝とし、底壁部１２の全長に亘って設けた構成としている。なお、止具９の止着箇所１２ａとしては、このような細溝に限られず、例えば、底壁部１２を厚さ方向に貫通するように設けられ、止具９が挿通される挿通孔としてもよい。この場合は、幅狭レール部材１０の長手方向に間隔を空けて複数箇所に挿通孔を設けるようにしてもよい。
【００２１】
また、幅狭レール部材１０は、両側壁部１３，１３の下端部から互いに向き合う方向に突出し、ランナー８の転動体８ａ，８ａを案内支持する案内片部１４，１４を備えている。これら案内片部１４，１４の突出寸法、つまり、各側壁部１３，１３の下端部からの案内片部１４，１４の溝幅方向に沿う寸法は、ランナー８の転動体８ａ，８ａの軸方向に沿う寸法に応じた寸法とされている。また、案内片部１４，１４によって区画されるガイド溝１１の下端の開口幅寸法は、ランナー８を戸体７に連結する上下方向に軸方向を沿わせた連結軸の挿通が可能な寸法とされている。
【００２２】
また、この幅狭レール部材１０のガイド溝１１の溝幅寸法となる一方の側壁部１３の内面から他方の側壁部１３の内面までの溝幅方向に沿う寸法は、ランナー８の上記戸厚方向に沿う寸法に応じた寸法とされている。また、この幅狭レール部材１０のガイド溝１１の深さ寸法となる底壁部１２から案内片部１４，１４までの上下方向に沿う寸法は、ランナー８の転動体８ａ，８ａの外径に応じた寸法とされている。
また、当該幅狭レール部材１０の凹溝３に嵌め込まれる部位の幅寸法Ｗ２となる一方の側壁部１３の外側面から他方の側壁部１３の外側面までの溝幅方向に沿う寸法は、凹溝３の溝幅寸法Ｗ１よりも小さい寸法とされている。図例では、当該幅狭レール部材１０の幅寸法Ｗ２を、凹溝３の溝幅寸法Ｗ１の概ね１／２程度とした例を示している。
【００２３】
また、本実施形態では、幅狭レール部材１０の両側壁部１３，１３の下端部に、溝幅方向外方側に向けてそれぞれに突出する突出片部１５，１５を設けた構成としている。一方の突出片部１５の先端部から他方の突出片部１５の先端部までの凹溝３の溝幅方向に沿う寸法は、凹溝３の溝幅寸法Ｗ１よりも小とされている。
また、これら突出片部１５，１５は、図１（ａ）に示すように、幅狭レール部材１０が上枠材２に取り付けられた状態で、これら突出片部１５，１５の上面が、上枠材２の下面よりも下方側に位置するように設けられている。つまり、これら突出片部１５，１５の上面から底壁部１２の上面までの上下方向に沿う寸法が凹溝３の溝深さ寸法Ｄ１よりも大とされている。
また、図例では、これら突出片部１５，１５の下面と案内片部１４，１４の下面とを一連状の同一平面状とした例を示している。
また、図例では、幅狭レール部材１０の底壁部１２、両側壁部１３，１３の下側部位、各案内片部１４，１４及び各突出片部１５，１５の厚さ寸法を、それぞれ概ね同寸法とした例を示している。
なお、この幅狭レール部材１０は、適宜の金属系材料や合成樹脂系材料から押出成形や鋳造成形または切削加工等によって一体的に成形されたものとしてもよい。
【００２４】
また、レール装置１は、図１（ａ）に示すように、この幅狭レール部材１０と凹溝３の内側面３ｂとの間を塞ぐように配されるスペーサー２０を備えている。
本実施形態では、幅狭レール部材１０の溝幅方向に沿う方向両側のそれぞれに対状に配される一対のスペーサー２０，２０を備えた構成としている。
これらスペーサー２０，２０は、図１（ｂ）に示すように、凹溝３の全長に亘って設けられている。これらスペーサー２０，２０は、長さ寸法が凹溝３の溝長さ寸法と略同寸法とされ、全長に亘って一様な断面形状とされている。
【００２５】
また、これらスペーサー２０，２０は、凹溝３の内側面３ｂ，３ｂの少なくとも開口側部位に沿うように配され、かつそれぞれの上端（上端面）２３ａ，２３ａが凹溝３の溝底面３ａに当接される固定片部２１，２１をそれぞれに備えている。また、これらスペーサー２０，２０は、固定片部２１，２１の下端から溝幅方向に沿う方向に突出するように設けられ、幅狭レール部材１０の下端部に当接するように配される塞ぎ片部２４，２４を備えている。
つまり、これらスペーサー２０，２０は、固定片部２１，２１と塞ぎ片部２４，２４とによって長手方向に見て概ねＬ字状とされている。これらスペーサー２０，２０の幅寸法となる固定片部２１，２１の凹溝３の内側面３ｂ，３ｂ側に向く面（溝幅方向外側面）２２ａ，２２ａから塞ぎ片部２４，２４の突出方向先端面までの溝幅方向に沿う寸法は、本実施形態では、互いに略同寸法とされている。つまり、これらスペーサー２０，２０の間に設けられる幅狭レール部材１０は、凹溝３の溝幅方向略中央に位置するように配される構成とされている。また、これらスペーサー２０，２０の幅寸法を足し合わせた寸法は、凹溝３の溝幅寸法Ｗ１から幅狭レール部材１０の幅寸法Ｗ２を差し引いた寸法と略同寸法とされている。
【００２６】
また、これらスペーサー２０，２０の凹溝３の溝深さ方向に沿う方向の寸法（上下寸法）Ｄ２は、凹溝３の溝深さ寸法Ｄ１に応じた寸法とされている。本実施形態では、これらスペーサー２０，２０の上下寸法Ｄ２を、凹溝３の溝深さ寸法Ｄ１よりも大としている。つまり、これらスペーサー２０，２０のそれぞれの上端面２３ａ，２３ａを溝底面３ａに当接させた状態で、それぞれの下面が上枠材２の下面よりも下方側に位置する構成とされている。上記した幅狭レール部材１０の突出片部１５，１５は、これらスペーサー２０，２０の各塞ぎ片部２４，２４の下面に当接または近接される構成とされている。つまり、これらスペーサー２０，２０によって形成される幅狭な凹溝の開口縁を覆うように突出片部１５，１５が設けられている。また、これらスペーサー２０，２０の上下寸法Ｄ２は、幅狭レール部材１０の突出片部１５，１５の上面から底壁部１２の上面までの上下方向に沿う寸法と略同寸法とされている。これらスペーサー２０，２０の上下寸法Ｄ２は、それぞれの上端面２３ａ，２３ａを溝底面３ａに当接させた状態で、それぞれの下面が上枠材２の下面よりも僅かに下方側に位置するような寸法としてもよい。これらスペーサー２０，２０の上下寸法Ｄ２を、例えば、凹溝３の溝深さ寸法Ｄ１よりも０．２ｍｍ〜２．０ｍｍ程度、大としてもよい。
また、本実施形態では、これらスペーサー２０，２０を、互いに同寸同形状としている。なお、以下では、溝幅方向に沿う方向一方側のスペーサー２０を例にとって説明する。
【００２７】
固定片部２１は、図１（ａ）に示すように、上端面２３ａが凹溝３の溝底面３ａに当接され、溝幅方向外側面２２ａが凹溝３の内側面３ｂに沿うように配される構成とされている。
本実施形態では、この固定片部２１の上端部に、凹溝３の溝底面３ａと内側面３ｂとの入隅部に向けてねじ等の止具９が斜め状に止着されるように止具９の止着方向のガイドとなる止具ガイド部２３ｂを設けた構成としている。本実施形態では、固定片部２１の上端部を、厚さ方向を溝幅方向に沿わせた平板状の垂直片部２２の上端部から上方側に向かうに従い凹溝３の溝幅方向中心側に向けて傾斜状とされた傾斜片部２３としている。
この傾斜片部２３は、当該スペーサー２０が凹溝３に取り付けられた状態で、溝幅方向中心側に向く面（溝幅方向内側傾斜面）が斜め下方側に向くように傾斜状とされている。この傾斜片部２３の垂直片部２２に対する傾斜角度は、凹溝３の溝幅寸法Ｗ１や止具９の止着作業性の観点等から適宜、設定するようにしてもよい。図例では、垂直片部２２の凹溝３の溝幅方向中心側に向く面（溝幅方向内側面）とこの溝幅方向内側面に連なる傾斜片部２３の溝幅方向内側傾斜面とのなす角を、概ね１３５°程度とした例を示している。
【００２８】
また、本実施形態では、固定片部２１の上端となる傾斜片部２３の上端を、溝底面３ａに平行状に配される平坦状の上端面２３ａとしている。また、図例では、傾斜片部２３の上端部に、この上端面２３ａに直交するように凹溝３の溝幅方向中心側に向く垂直面を設けた例を示している。また、この垂直面を、後記する塞ぎ片部２４の突出方向先端面と略同一平面状とした例を示している。つまり、垂直片部２２の溝幅方向外側面２２ａから傾斜片部２３の突出方向先端までの溝幅方向に沿う寸法と、垂直片部２２の溝幅方向外側面２２ａから塞ぎ片部２４の突出方向先端までの溝幅方向に沿う寸法と、を互いに略同寸法とした例を示している。また、図例では、この傾斜片部２３の上下方向に沿う寸法を、垂直片部２２の上下方向に沿う寸法よりも小とした例を示している。また、傾斜片部２３の厚さ寸法を、垂直片部２２の厚さ寸法よりも大とした例を示している。
【００２９】
本実施形態では、止具ガイド部２３ｂを、この傾斜片部２３を貫通するように設けられた止具孔２３ｂとしている。この止具孔２３ｂは、傾斜片部２３を、その厚さ方向となる傾斜片部２３の溝幅方向内側傾斜面の法線方向に貫通するように設けられている。また、本実施形態では、この止具孔２３ｂを、止具孔２３ｂの貫通方向に見て、止具孔２３ｂと塞ぎ片部２４とが重なり合わないように設けた構成としている。図例では、当該スペーサー２０を凹溝３に取り付けた状態で、止具孔２３ｂの貫通方向延長線と上枠２の下面に同高さの略水平面との交差部が凹溝３の溝幅方向略中心に位置するように止具孔２３ｂを設けた構成としている。つまり、凹溝３の下方側の溝幅方向略中央部から傾斜片部２３の溝幅方向内側傾斜面に対面した状態で、止具孔２３ｂの全体が視認可能な構成としている。
【００３０】
また、本実施形態では、図２（ｂ）に示すように、傾斜片部２３の長手方向に間隔を空けて複数の止具孔２３ｂを設けた構成としている。
なお、止具孔２３ｂとしては、固定片部２１の上端部に傾斜状に設けられた傾斜片部２３を厚さ方向に貫通するように設けられたたようなものに限られず、平板状とされた固定片部２１の上端部に、斜め状に貫通するように設けられた止具孔２３ｂとしてもよい。また、止具ガイド部２３ｂとしては、このような止具孔に限られず、傾斜片部２３の溝幅方向内側傾斜面に長手方向に沿うように設けられ、止具９の誘い（目印）となるＶ字状溝等の細溝等としてもよい。
【００３１】
塞ぎ片部２４は、厚さ方向を上下方向に沿わせた平板状とされている。
この塞ぎ片部２４は、図１（ａ）に示すように、当該スペーサー２０を凹溝３に取り付けた状態で、突出方向先端面が、幅狭レール部材１０の側壁部１３の外側面の下端部に当接または近接される構成とされている。また、この塞ぎ片部２４は、当該スペーサー２０を凹溝３に取り付けた状態で、下面が、幅狭レール部材１０の下端部となる突出片部１５の上面に当接または近接される構成とされている。つまり、この塞ぎ片部２４は、幅狭レール部材１０の下端部となる突出片部１５及び側壁部１３の外側面の下端部の両方または一方に当接するように配される構成とされている。また、図例では、塞ぎ片部２４の厚さ寸法を、垂直片部２２の厚さ寸法よりも小とした例を示している。
【００３２】
なお、スペーサー２０は、適宜の金属系材料や合成樹脂系材料から押出成形や鋳造成形または切削加工等によって一体的に成形されたものとしてもよく、また、木質系材料等から形成されたものとしてもよい。
また、スペーサー２０の少なくとも下面を、幅狭レール部材１０または上枠材２と同色調とされたものとしてもよい。例えば、スペーサー２０を、幅狭レール部材１０と同色調となるように幅狭レール部材１０と同一の金属系材料から形成されたものとしてもよく、若しくは、少なくとも下面が幅狭レール部材１０と同色調となるように、化粧シートの貼着や塗装等の表面仕上処理がなされたものとしてもよい。または、スペーサー２０を、上枠材２と同色調となるように上枠材２と同種の天然銘木の無垢材から形成されたものとしてもよく、若しくは、少なくとも下面が上枠材２と同色調となるように、化粧シートの貼着や塗装等の表面仕上処理がなされたものとしてもよい。
【００３３】
また、本実施形態では、図２（ａ）に示すように、固定片部２１の溝幅方向外側面２２ａに、表面側に剥離可能な剥離材２６が設けられた粘着材２５を設けた構成としている。つまり、本実施形態では、スペーサー２０の固定片部２１が粘着材２５を介して凹溝３の内側面３ｂに沿うように配される構成としている。
粘着材２５は、スペーサー２０を凹溝３の内側面３ｂに仮固定可能なものとしてもよく、適宜の粘着材としてもよい。例えば、この粘着材２５を、表面側に剥離材２６としての剥離紙が設けられた粘着テープ（両面テープ）等としてもよい。
また、粘着材２５及び剥離材２６は、スペーサー２０の全長に亘って設けられたものとしてもよく、スペーサー２０の長手方向に沿って間隔を空けて複数箇所に設けられたものとしてもよい。また、図例では、粘着材２５及び剥離材２６を、固定片部２１の垂直片部２２の溝幅方向外側面２２ａの上方側部位のみに設けた例を示している。
【００３４】
上記構成とされたレール装置１は、例えば、以下のように施工するようにしてもよい。
まず、既設の幅広レール部材６が取り外された既設の上枠材２の凹溝３に一対のスペーサー２０，２０を差し入れ、これらスペーサー２０，２０を上枠材２に取り付ける。この際、各スペーサー２０，２０の粘着材２５，２５の剥離材２６，２６を剥離し、これら粘着材２５，２５によって、各スペーサー２０，２０を凹溝３の内側面３ｂ，３ｂに仮固定するようにしてもよい。そして、このように仮固定した状態で、各スペーサー２０，２０の傾斜片部２３，２３の止具ガイド部２３ｂ，２３ｂに止具９，９をガイドさせて傾斜片部２３，２３を介して上枠材２に止着し、これらスペーサー２０，２０を上枠材２に本固定するようにしてもよい。
【００３５】
そして、これらスペーサー２０，２０によって溝幅方向両側が区画される幅狭な凹溝に、幅狭レール部材１０を嵌め入れ、上記のように止具９によって上枠材２に取り付けるようにしてもよい。
なお、このように幅狭レール部材１０を取り付ける前に、新たな戸体７の上端側に連結されるランナー８を、幅狭レール部材１０のガイド溝１１に保持させておくようにしてもよい。そして、当該幅狭レール部材１０を取り付けた後に、幅狭レール部材１０に保持されたランナー８の連結軸を、戸体７の上端部に設けられた適宜の連結凹部等に連結して戸体７を建て付ける態様等としてもよい。
【００３６】
本実施形態に係るレール装置１は、上述のような構成としたことで、幅広レール部材６に応じた幅広な凹溝３が設けられた上枠材２に幅狭レール部材１０を見栄え良くかつ簡易に取り付けることができる。
つまり、上枠材２の凹溝３の溝幅方向に沿う方向の寸法Ｗ２が幅広レール部材６よりも小とされた幅狭レール部材１０と、この幅狭レール部材１０と凹溝３の内側面３ｂとの間を塞ぐように配されるスペーサー２０と、を備えた構成としている。従って、幅広レール部材６に応じた幅広な凹溝３が設けられた上枠材２の凹溝３の内側面３ｂとの間に隙間が形成されるようなことがなく、幅狭レール部材１０及びスペーサー２０を埋め込むように凹溝３に取り付けることができる。これにより、幅狭レール部材１０の位置ずれを抑制することができる。また、上枠材２を、幅広レール部材６及び幅狭レール部材１０のいずれにも適用可能な兼用の部材にでき、幅広レール部材６及び幅狭レール部材１０の各幅寸法Ｗ１，Ｗ２に応じた凹溝が形成された複数種の上枠材を要せず、幅狭レール部材１０を取り付けることができる。これにより、上記した例のように、既設の幅広レール部材６に替えて、幅狭レール部材１０を取り付ける場合にも、既設の上枠材２を撤去することなく、幅広レール部材６を取り外した上枠材２に対して、幅狭レール部材１０を見栄え良く取り付けることができる。また、上枠材２を、幅広レール部材６と幅狭レール部材１０とのいずれにも適用可能な兼用の部材にできるので、上枠材２の生産性や取扱性等を向上させることができる。
【００３７】
また、スペーサー２０を、凹溝３の内側面３ｂの少なくとも開口側部位に沿うように配され、かつ上端（上端面）２３ａが凹溝３の溝底面３ａに当接される固定片部２１を備えた構成としている。従って、このスペーサー２０の固定片部２１の上端面２３ａを凹溝３の溝底面３ａに当接させ、凹溝３の内側面３ｂに沿わせるようにスペーサー２０を凹溝３内に固定することができるので、位置決めを容易に行え、作業性を向上させることができる。また、スペーサー２０を、この固定片部２１の下端から溝幅方向に沿う方向に突出するように設けられ、幅狭レール部材１０の下端部に当接するように配される塞ぎ片部２４を備えた構成としている。つまりは、スペーサー２０を、固定片部２１と塞ぎ片部２４とからなる長手方向に見て概ねＬ字状としている。従って、例えば、ブロック状とされたものと比べて、軽量化を図ることができる。また、塞ぎ片部２４が幅狭レール部材１０の下端部に当接されることとなるので、幅狭レール部材１０のガイド溝１１を区画する側壁部１３の開口側の拡開を抑制することができ、ガイド溝１１の開口幅寸法が所定以上に広がるようなことを抑制することができる。つまり、戸体７のランナー８がスライドする際には、このランナー８によって側壁部１３の下端側が拡開されるようなことも考えられるが、このような拡開を塞ぎ片部２４によって抑制することができる。これにより、ガイド溝１１に挿入される戸体７の係合部としてのランナー８を安定的にガイドすることができる。
【００３８】
また、本実施形態では、スペーサー２０の固定片部２１の上端部に、凹溝３の入隅部に向けて止具９が斜め状に止着されるように止具９の止着方向のガイドとなる止具ガイド部２３ｂを設けている。従って、ねじや釘等の止具９を、凹溝３の入隅部に向けて斜め状に止着し易くなり、スペーサー２０の取付性をより向上させることができ、また、スペーサー２０を上枠材２に対して安定的に固定することができる。
また、本実施形態では、固定片部２１の上端部に溝幅方向中心側に向けて傾斜する傾斜片部２３を設け、この傾斜片部２３を厚さ方向に貫通するように設けられた止具孔２３ｂを止具ガイド部としている。従って、例えば、平板状とされた固定片部２１の上端部に斜め状に止具ガイド部としての止具孔を設けたようなものと比べて、止具９を凹溝３の開口側から止具孔２３ｂに差し入れ易く、また、止着作業性を向上させることができる。なお、このような止具ガイド部２３ｂを設けた態様に代えて、止具９の止着方向が上下方向や溝幅方向等となるようにガイドする止具ガイド部を設けたような態様としてもよい。例えば、固定片部２１の上端部に、凹溝３の溝底面３ａに沿うような水平状の片部を設け、この片部に止具ガイド部を設けたような態様としてもよい。さらには、このような止具ガイド部を設けないようにしてもよい。
【００３９】
また、本実施形態では、スペーサー２０の固定片部２１の凹溝３の内側面３ｂ側に向く面（溝幅方向外側面）２２ａに、表面側に剥離可能な剥離材２６が設けられた粘着材２５を設けている。従って、粘着材２５の剥離材２６を剥離し、スペーサー２０の固定片部２１を凹溝３の内側面３ｂに沿わせるように固定することができる。また、上述のように、この粘着材２５によってスペーサー２０を凹溝３の内側面３ｂに仮固定し、止具９によってスペーサー２０を上枠材２に本固定することもでき、スペーサー２０の取付性をより向上させることができる。なお、このような粘着材２５をスペーサー２０に設けた態様に代えて、適宜の接着剤等によってスペーサー２０を、凹溝３の内側面３ｂに沿わせるように固定（仮固定）する構成としてもよい。さらには、このような接着剤等を介さずに、固定片部２１を凹溝３の内側面３ｂに直接的に当接させてスペーサー２０を固定する構成としてもよい。
【００４０】
また、本実施形態では、幅狭レール部材１０の幅方向両側のそれぞれに対状に配される一対のスペーサー２０，２０を備えた構成としている。従って、幅狭レール部材１０の幅方向一方側のみにスペーサー２０が設けられるものとした場合と比べて、幅狭レール部材１０が幅方向一方側に片寄って配されるようなことを抑制することができる。これにより、幅広レール部材１０にガイドされる新たな戸体７の戸厚方向中心と幅狭レール部材６にガイドされる既設戸体５の戸厚方向中心とを概ね一致させるようなこともでき、縦枠等の戸体７の周辺部材の兼用化を図ることも可能となる。
【００４１】
また、本実施形態では、スペーサー２０の凹溝３の溝深さ方向に沿う方向の寸法（上下寸法）Ｄ２を、凹溝の溝深さ寸法Ｄ１よりも大としている。従って、例えば、スペーサー２０の凹溝３の溝深さ方向に沿う方向の寸法（上下寸法）Ｄ２を、凹溝３の溝深さ寸法Ｄ１と同寸法としたり、凹溝３の溝深さ寸法Ｄ１よりも小としたものと比べて、凹溝３の内側面３ｂが露出するようなことを抑制することができる。なお、このような態様に代えて、スペーサー２０の上下寸法Ｄ２を凹溝３の溝深さ寸法Ｄ１と同寸法としたり、凹溝３の溝深さ寸法Ｄ１よりも小としてもよい。
【００４２】
また、本実施形態では、スペーサー２０の長さ寸法を、凹溝３の溝長さ寸法と略同長さとした例を示しているが、このような態様に代えて、凹溝３の溝長さ寸法よりも短い寸法とされた複数のスペーサー２０を設けた構成としてもよい。
また、本実施形態では、一対のスペーサー２０，２０の幅寸法を互いに略同寸法とした例を示しているが、互いに異なる寸法としてもよい。さらには、このように一対のスペーサー２０，２０を備えたものに代えて、幅狭レール部材１０の幅方向一方側のみに配されるスペーサー２０を備えた構成としてもよい。
また、本実施形態では、幅狭レール部材１０の突出片部１５，１５の上面から底壁部１２の上面までの上下方向に沿う寸法を、凹溝３の溝深さ寸法Ｄ１よりも大としているが、このような態様に限られない。例えば、突出片部１５，１５の上面から底壁部１２の上面までの上下方向に沿う寸法を凹溝３の溝深さ寸法Ｄ１と同寸法としてもよい。この場合は、スペーサー２０の上下寸法Ｄ２を凹溝３の溝深さ寸法Ｄ１と同寸法としてもよい。
【００４３】
また、本実施形態では、幅狭レール部材１０にランナー８の転動体８ａ，８ａを案内支持する案内片部１４，１４を設け、幅狭レール部材１０を、戸体７を吊下支持する構成とした例を示しているが、このような態様に限られない。例えば、幅狭レール部材１０のガイド溝１１を、下荷重型の戸体７の上端部の係合部８がスライド自在に係合する構成とされたものとしてもよい。この場合は、例えば、幅狭レール部材１０に案内片部１４，１４を設けないようにしてもよく、また、円柱状や突条等とされた戸体７の係合部８をガイド溝１１に受け入れてガイドするものとしてもよい。
また、本実施形態では、単一のガイド溝１１を設けた幅狭レール部材１０を例示しているが、このような態様に限られず、複数本のガイド溝１１を設けた複数連レール部材１０としてもよい。この場合は、溝幅方向最外方側に位置する両側壁部１３，１３の両方または一方と凹溝３の内側面３ｂとの間にスペーサー２０を設けるようにしてもよい。
【符号の説明】
【００４４】
１      レール装置
１０    幅狭レール部材
２０    スペーサー
２１    固定片部
２２ａ  溝幅方向外側面（凹溝の内側面側に向く面）
２３ａ  上端面（上端）
２３ｂ  止具孔（止具ガイド部）
２４    塞ぎ片部
２５    粘着材
２６    剥離材
２      上枠材
３      凹溝
３ａ    溝底面
３ｂ    内側面
６      幅広レール部材
９      止具
Ｄ１    凹溝の溝深さ寸法
Ｄ２    スペーサーの上下寸法（スペーサーの凹溝の溝深さ方向に沿う方向の寸法）
Ｗ１    凹溝の溝幅寸法（幅広レール部材の凹溝の溝幅方向に沿う方向の寸法）
Ｗ２    幅狭レール部材の幅寸法（凹溝の溝幅方向に沿う方向の寸法）
【図１】
0006440119.tif 000002
【図２】
0006440119.tif 000003
【図３】
0006440119.tif 000004